(57)【要約】      （修正有）【課題】商品の目的に合致した刺激を実現するための情報を提供できる、商品開発支援システム、商品開発支援方法及びプログラムを提供する。【解決手段】商品開発支援システム１０は、取得部Ｆ１２と、提示部Ｆ１４とを備える。取得部Ｆ１２は、商品により人体に与える刺激に関する複数の目的ワードからユーザの入力に対応する１以上の特定の目的ワードを取得する。提示部Ｆ１４は、複数の感性のうち前記１以上の特定の目的ワードに基づいて決定される１以上の特定の感性と刺激を決定する複数の物理量のうちの１以上の特定の物理量との特定の相関関係を含む相関情報を提示する。【選択図】図１
2020140569.tif 000002
【特許請求の範囲】
【請求項１】
商品により人体に与える刺激に関する複数の目的ワードからユーザの入力に対応する１以上の特定の目的ワードを取得する取得部と、
複数の感性のうち前記１以上の特定の目的ワードに基づいて決定される１以上の特定の感性と前記刺激を決定する複数の物理量のうちの１以上の特定の物理量との特定の相関関係を含む相関情報を提示する提示部と、
を備える、
商品開発支援システム。
【請求項２】
前記相関関係は、前記１以上の特定の感性と前記１以上の特定の物理量の相関の度合い含む、
請求項１の商品開発支援システム。
【請求項３】
前記相関の度合いは、前記１以上の特定の感性と前記１以上の特定の物理量との間の相関係数で表される、
請求項２の商品開発支援システム。
【請求項４】
前記１以上の特定の物理量は、前記１以上の特定の感性の少なくとも一つとの間の相関係数が所定値以上である、
請求項３の商品開発支援システム。
【請求項５】
前記相関情報は、前記１以上の特定の感性の評価値と前記１以上の特定の物理量との間の関係を表す図又は表を含む、
請求項１〜４のいずれか一つの商品開発支援システム。
【請求項６】
前記提示部は、前記複数の感性と前記複数の物理量との相関関係を示すデータベースを参照して、前記特定の相関関係を提示する、
請求項１〜５のいずれか一つの商品開発支援システム。
【請求項７】
前記１以上の特定の目的ワードに基づいて前記１以上の特定の感性を決定する決定部を更に備え、
前記提示部は、前記決定部で決定された前記１以上の特定の感性に基づいて、前記特定の相関関係を提示する、
請求項１〜６のいずれか一つの商品開発支援システム。
【請求項８】
前記決定部は、
前記１以上の特定の目的ワードに基づいて、前記複数の感性にそれぞれ対応する複数の感性ワードのうちの１以上の感性ワードを提示する提示処理と、
前記提示処理に対するユーザの応答に基づいて、前記１以上の特定の感性を決定する決定処理と、
を実行する、
請求項７の商品開発支援システム。
【請求項９】
前記提示処理は、前記複数の感性ワードのうち、前記１以上の特定の目的ワードに関連付けられた１以上の感性ワードを提示する処理を含む、
請求項８の商品開発支援システム。
【請求項１０】
前記複数の感性ワードは、複数の階層に分類され、
前記提示処理は、前記ユーザにより選択された１以上の感性ワードよりも下の階層に属し、かつその少なくとも一つに関連付けられた１以上の感性ワードを提示する処理を含む、
請求項８又は９の商品開発支援システム。
【請求項１１】
前記複数の目的ワードの各々は、前記複数の感性ワードの少なくとも一つに関連付けられている間接目的ワードと、前記複数の感性ワードのいずれにも関連付けられていない直接目的ワードとに分類され、
前記決定部は、前記間接目的ワードについては、前記提示処理を行い、
前記決定部は、前記直接目的ワードについては、前記直接目的ワードに基づいて前記１以上の感性を決定する、
請求項８〜１０のいずれか一つの商品開発支援システム。
【請求項１２】
前記決定部は、前記複数の目的ワードと前記複数の感性ワードとを含む複数のワードの階層構造を示すデータベースを参照して、前記提示処理を実行する、
請求項８〜１１のいずれか一つの商品開発支援システム。
【請求項１３】
前記刺激を複数の候補から選択する選択部を更に備え、
前記提示部は、前記選択部で選択された前記刺激に基づいて、前記相関関係を提示する、
請求項１〜１２のいずれか一つの商品開発支援システム。
【請求項１４】
商品により人体に与える刺激に関する複数の目的ワードからユーザの入力に対応する１以上の特定の目的ワードを取得する取得ステップと、
複数の感性のうち前記１以上の特定の目的ワードに基づいて決定される１以上の特定の感性と前記刺激を決定する複数の物理量のうちの１以上の特定の物理量との特定の相関関係を含む相関情報を提示する提示ステップと、
を含む、
商品開発支援方法。
【請求項１５】
請求項１４の商品開発支援方法を、１以上のプロセッサに実行させるための、
プログラム。
【発明の詳細な説明】
【技術分野】
【０００１】
本開示は、一般に、商品開発支援システム、商品開発支援方法、及び、プログラムに関する。本開示は、特に、人体に刺激を与えることが可能な商品のための商品開発支援システム、商品開発支援方法、及び、プログラムに関する。
【背景技術】
【０００２】
特許文献１は、商品開発支援システムを開示する。特許文献１の商品開発支援システムは、商品を使用した顧客のアンケート結果に基づいて、改良すべき仕様や改良後のスペック値等を客観的に決定する。
【先行技術文献】
【特許文献】
【０００３】
【特許文献１】特開２００５−０９２８１８号公報
【発明の概要】
【発明が解決しようとする課題】
【０００４】
特許文献１は、商品の目的に合致した刺激を実現するための情報を提供することはできない。
【０００５】
課題は、商品の目的に合致した刺激を実現するための情報を提供できる、商品開発支援システム、商品開発支援方法、及び、プログラムを提供することである。
【課題を解決するための手段】
【０００６】
本開示の一態様の商品開発支援システムは、取得部と、提示部とを備える。前記取得部は、商品により人体に与える刺激に関する複数の目的ワードからユーザの入力に対応する１以上の特定の目的ワードを取得する。前記提示部は、複数の感性のうち前記１以上の特定の目的ワードに基づいて決定される１以上の特定の感性と前記刺激を決定する複数の物理量のうちの１以上の特定の物理量との特定の相関関係を含む相関情報を提示する。
【０００７】
本開示の一態様の商品開発支援方法は、取得ステップと、提示ステップとを含む。前記取得ステップは、商品により人体に与える刺激に関する複数の目的ワードからユーザの入力に対応する１以上の特定の目的ワードを取得するステップである。前記提示ステップは、複数の感性のうち前記１以上の特定の目的ワードに基づいて決定される１以上の特定の感性と前記刺激を決定する複数の物理量のうちの１以上の特定の物理量との特定の相関関係を含む相関情報を提示するステップである。
【０００８】
本開示の一態様のプログラムは、前記商品開発支援方法を、１以上のプロセッサに実行させるための、プログラムである。
【発明の効果】
【０００９】
本開示の態様によれば、商品の目的に合致した刺激を実現するための情報を提供できる、という効果を奏する。
【図面の簡単な説明】
【００１０】
【図１】図１は、一実施形態の商品開発支援システムを含む全体システムのブロック図である。
【図２】図２は、目的ワード及び感性ワードを含むワードの階層構造の一例である。
【図３】図３は、感性の評価値と物理量との関係を示すグラフの一例である。
【図４】図４は、商品開発支援システムの動作のフローチャートである。
【図５】図５は、商品開発支援システムの動作のフローチャートである。
【発明を実施するための形態】
【００１１】
１．実施形態
１．１  概要
図１は、商品開発支援システム１０を示す。商品開発支援システム１０は、取得部Ｆ１２と、提示部Ｆ１４とを備える。取得部Ｆ１２は、商品により人体に与える刺激に関する複数の目的ワードＰ１１〜Ｐ１４（図２参照）からユーザの入力に対応する１以上の特定の目的ワードを取得する。提示部Ｆ１４は、複数の感性のうち１以上の特定の目的ワードに基づいて決定される１以上の特定の感性と刺激を決定する複数の物理量Ａ１〜Ａ５のうちの１以上の特定の物理量との特定の相関関係を含む相関情報を提示する。
【００１２】
商品開発支援システム１０は、ユーザ（すなわち、商品開発支援システム１０のユーザであって、商品の開発者）の入力に応じて、１以上の特定の目的ワードを取得する。そして、商品開発支援システム１０は、取得した１以上の特定の目的ワードに基づいて、１以上の特定の感性と１以上の特定の物理量との特定の相関関係を含む相関情報を提示する。このように、商品開発支援システム１０は、商品の目的に合致した刺激を実現するための情報を提供できる。したがって、ユーザは、商品開発支援システム１０で提示される相関情報を利用して、ユーザが求める目的（すなわち、商品の使用者、購入者に与えたい価値）に対応した刺激を与えることが可能な商品の開発が可能となる。特に、商品開発支援システム１０は、ユーザの入力に対応する１以上の特定の目的ワードに対して、相関情報を提示するから、既存商品の改良よりも、新規な商品の開発に好適であり得る。
【００１３】
１．２  詳細
以下、本実施形態の商品開発支援システム１０について、図１〜図５を参照して更に詳細に説明する。商品開発支援システム１０は、人体に刺激を与えることが可能な商品の開発のための情報として、感性と刺激を決定する物理量との相関関係を含む相関情報を提供するためのシステムである。
【００１４】
商品開発支援システム１０は、通信ネットワーク４０を通じて、端末装置２０と、データベースシステム３０とに接続可能である。商品開発支援システム１０は、端末装置２０及びデータベースシステム３０とともに通信ネットワーク４０に接続され、システムを構築している。
【００１５】
通信ネットワーク４０は、インターネットを含み得る。通信ネットワーク４０は、単一の通信プロトコルに準拠したネットワークだけではなく、異なる通信プロトコルに準拠した複数のネットワークで構成され得る。通信プロトコルは、周知の様々な有線及び無線通信規格から選択され得る。図１では簡略化されているが、通信ネットワーク４０は、リピータハブ、スイッチングハブ、ブリッジ、ゲートウェイ、ルータ等のデータ通信機器を含み得る。
【００１６】
端末装置２０は、商品開発支援システム１０への情報の入力、及び、商品開発支援システム１０からの情報の表示に利用される。端末装置２０は、図１に示すように、入出力部２１と、通信部２２と、処理部２３と、を備える。端末装置２０は、情報端末であり、例えば、デスクトップコンピュータである。なお、端末装置２０は、ラップトップコンピュータ、又は、携帯端末（スマートフォン、タブレット端末、ウェアラブル端末等）により実現され得る。
【００１７】
入出力部２１は、端末装置２０を操作するための入力装置を備える。入力装置は、例えば、キーボード、マウス、トラックボール、タッチパッド等を含み得る。また、入出力部２１は、情報を表示するための画像表示装置を備える。画像表示装置は、液晶ディスプレイや有機ＥＬディスプレイ等の薄型のディスプレイ装置を含み得る。
【００１８】
通信部２２は、通信インターフェースである。通信部２２は、通信ネットワーク４０に接続可能であり、通信ネットワーク４０を通じた通信を行う機能を有する。通信部２２は、所定の通信プロトコルに準拠している。所定の通信プロトコルは、周知の様々な有線及び無線通信規格から選択され得る。
【００１９】
処理部２３は、端末装置２０の全体的な制御、すなわち、入出力部２１及び通信部２２を制御するように構成される。処理部２３は、上述した、入出力部２１の操作に応じて、ユーザにより入力された情報を、通信部２２から商品開発支援システム１０に通信ネットワーク４０を通じて送信する機能を有している。また、処理部２３は、通信ネットワーク４０を通じて通信部２２で受信した商品開発支援システム１０からの情報を、入出力部２１によりユーザに提示する機能を有している。処理部２３は、例えば、１以上のプロセッサ（マイクロプロセッサ）と１以上のメモリとを含むコンピュータシステムにより実現され得る。つまり、１以上のプロセッサが１以上のメモリに記憶された１以上の（コンピュータ）プログラム（アプリケーション）を実行することで、処理部２３として機能する。プログラムは、ここでは処理部２３のメモリに予め記録されているが、インターネット等の電気通信回線を通じて、又はメモリカード等の非一時的な記録媒体に記録されて提供されてもよい。
【００２０】
データベースシステム３０は、データベースＤＢ１１を記憶する。データベースシステム３０は、サーバにより実現され得る。データベースＤＢ１１は、商品開発支援システム１０で上述の相関情報を提示するために利用される。データベースＤＢ１１は、複数のワード（文字列）と商品の刺激を決定する複数の物理量との相関関係を示す。
【００２１】
本実施形態では、「商品」は、売買の目的物となる製品である。製品の例としては、工業製品、石油製品、化学製品、電気製品、宝飾製品、繊維製品、食料品がある。「刺激」は、人の感覚器で感知可能なものである。「刺激」の例としては、視覚に関する刺激（映像、光）、聴覚に関する刺激（音）、臭覚に関する刺激（香り、におい）、味覚に関する刺激（味）、触覚に関する刺激（風、さわり心地）、及びこれらの組み合わせ（質感等）があり得る。商品がどのような刺激を提供できるかは、商品の仕様によって決まる。一例として、商品が送風機であれば、刺激としては、風、光、香り等を提供可能である。刺激を決定する物理量は、刺激に応じて種々あり得る。刺激が風であれば、物理量の例としては、風の方向、風の強弱、風のゆらぎ、及び風の面分布があり得る。刺激が光であれば、物理量の例としては、光の方向、光の強弱、光のゆらぎ、光の色、及び光の配向があり得る。また、刺激が香りであれば、物理量の例としては、芳香成分の種類、芳香成分の量、及び、芳香成分の化学的性質（揮発性等）があり得る。
【００２２】
ワードは、目的ワードと感性ワードとに分類され得る。目的ワードは、商品の目的を規定するワードであってよい。商品の目的は、商品の使用をする人に与えたい価値であり得る。つまり、目的ワードは、商品によってどのような価値を人に与えるかという観点から選択され得る。例えば、目的ワードは、気分、意思決定、意欲、行動、感動、満足、及び感性価値等に関連する語句（ワード又はフレーズ）であってよい。商品が送風機である場合の目的ワードの例としては、「落ち着く」、「安心」、「リラックス」、「リフレッシュ」が挙げられる。
【００２３】
感性ワードは、商品に対する人の感性に対応するワードである。言い換えれば、感性ワードは、目的ワードをより具体化したワードであってよい。この点から言えば、目的ワードも感性ワードとしての側面を持つ。本実施形態では、感性ワードは、第１感性ワードと、第２感性ワードとに分類され得る。第１感性ワードは、商品の使用実感（商品の使用により得られる感覚）という観点から選択され得る。第１感性ワードは、感覚、知覚（分解）、及び物理要素等に関連する語句（ワード又はフレーズ）であってよい。商品が送風機である場合の第１感性ワードの例としては、「刺激を感じすぎない」、「全身に当たる」、「少し涼しい」が挙げられる。第２感性ワードは、第１感性ワードよりも抽象的なワードであってよい。第２感性ワードは、商品に対する好み（商品から得られる主観的な印象）という観点から選択され得る。第２感性ワードは、印象、認知、情動、興味，嗜好、及び注意等に関連する語句（ワード又はフレーズ）であってよい。商品が送風機である場合の第２感性ワードの例としては、「優しい」、「柔らかい」、「自然な」が挙げられる。
【００２４】
図２は、データベースＤＢ１１が示す相関関係の一例である。図２は、複数のワード（目的ワードＰ１１〜Ｐ１４、第２感性ワードＰ２１〜Ｐ２４、第１感性ワードＰ３１〜Ｐ３４）と、複数の物理量Ａ１〜Ａ５との相関関係を示している。複数のワード（目的ワードＰ１１〜Ｐ１４、第２感性ワードＰ２１〜Ｐ２４、第１感性ワードＰ３１〜Ｐ３４）は、階層構造となっている。ここでは、目的ワードＰ１１〜Ｐ１４が最上層であり、第１感性ワードＰ３１〜Ｐ３４が最下層であり、第２感性ワードＰ２１〜Ｐ２４が中間層である。図２では、複数のワード（目的ワードＰ１１〜Ｐ１４、第２感性ワードＰ２１〜Ｐ２４、第１感性ワードＰ３１〜Ｐ３４）と、複数の物理量Ａ１〜Ａ５とは、刺激の状態Ｉ１〜Ｉ６を介して関連付けられている。刺激の状態Ｉ１〜Ｉ６は、複数の物理量Ａ１〜Ａ５を用いて定義され得る。刺激が風であれば、刺激の状態の例としては、「穏やかな風」、「正面から」、「強さ均一」、「吹いたり止んだり」が挙げられる。状態Ｉ１〜Ｉ６は、各々、複数の物理量Ａ１〜Ａ５の少なくとも一つと関連付けられている。
【００２５】
このように、データベースＤＢ１１は、階層構造によって、複数のワード（目的ワードＰ１１〜Ｐ１４、第２感性ワードＰ２１〜Ｐ２４、第１感性ワードＰ３１〜Ｐ３４）と、複数の物理量Ａ１〜Ａ５との相関関係を示している。このようなデータベースＤＢ１１において、ワードの階層構造は、ワード間の相関性の定量化を利用して構築することができる。
【００２６】
一方で、感性と物理量との関係は、感性定量化技術により決定できる。感性定量化技術は、一例として、被験者実験を利用する。被験者実験では、物理量の変化に対する感性の評価値の変化を求める。これによって、図３に示すような、感性の評価値と物理量との間の関係が得られる。なお、図３において、Ｇ１０は、物理量と評価値とのプロットの近似曲線を示している。感性の評価値は、物理量に対する被験者の心理的影響度、生理的影響度、又はそれらの組み合わせを数値化したものである。心理的影響度は、被験者へのヒアリング（被験者の体験に基づくヒアリング）に基づいて評価され得る。これによって、物理量と心理的影響度との関係が可視化されている。生理的影響度は、被験者の心臓の活動電位、皮膚温、皮膚電位、呼吸、発汗等の計測値に基づいて評価され得る。
【００２７】
更に、データベースＤＢ１１は、ワードに対応する感性毎に、複数の物理量との相関関係を記憶する。ここで、感性と物理量との相関関係は、相関の度合いを含み得る。相関の度合いは、感性と物理量との間の相関係数で表され得る。また、データベースＤＢ１１は、ワードに対応する感性毎に、感性の評価値と物理量との間の関係を示す図又は表を記憶する。一例として、データベースＤＢ１１は、感性毎に、物理量と評価値とのプロットと物理量と評価値との近似曲線との少なくとも一方を記憶し得る。
【００２８】
商品開発支援システム１０は、図１に示すように、通信部１１と、処理部１２とを備えている。商品開発支援システム１０は、サーバにより実現され得る。
【００２９】
通信部１１は、通信インターフェースである。通信部１１は、通信ネットワーク４０に接続可能であり、通信ネットワーク４０を通じた通信を行う機能を有する。通信部１１は、所定の通信プロトコルに準拠している。所定の通信プロトコルは、周知の様々な有線及び無線通信規格から選択され得る。
【００３０】
処理部１２は、商品開発支援システム１０の動作を制御する制御回路である。処理部１２は、例えば、１以上のプロセッサ（マイクロプロセッサ）と１以上のメモリとを含むコンピュータシステムにより実現され得る。つまり、１以上のプロセッサが１以上のメモリに記憶された１以上の（コンピュータ）プログラム（アプリケーション）を実行することで、処理部１２として機能する。プログラムは、ここでは処理部１２のメモリに予め記録されているが、インターネット等の電気通信回線を通じて、又はメモリカード等の非一時的な記録媒体に記録されて提供されてもよい。
【００３１】
処理部１２は、図１に示すように、選択部Ｆ１１と、取得部Ｆ１２と、決定部Ｆ１３と、提示部Ｆ１４とを備えている。図１において、選択部Ｆ１１と、取得部Ｆ１２と、決定部Ｆ１３と、提示部Ｆ１４とは実体のある構成を示しているわけではなく、処理部１２によって実現される機能を示している。
【００３２】
選択部Ｆ１１は、商品により人体に与える刺激を複数の候補から選択する。本実施形態では、選択部Ｆ１１は、刺激の選択のための刺激選択画面を表示するための情報を、端末装置２０に送信する。刺激選択画面は、刺激の複数の候補を表示する。一例として、商品が送風機であれば、複数の刺激の候補は、風、光、香りを含んでよい。端末装置２０は、入出力部２１で、刺激選択画面を表示する。これによって、ユーザは、入出力部２１を用いて、刺激選択画面に表示されている複数の候補から刺激を選択できる。端末装置２０は、ユーザによる選択の結果を商品開発支援システム１０に送信する。選択部Ｆ１１は、端末装置２０からの入力（ユーザによる選択の結果）に応じて、複数の候補から刺激を選択する。
【００３３】
取得部Ｆ１２は、商品により人体に与える刺激に関する複数の目的ワードからユーザの入力に対応する１以上の特定の目的ワードを取得する。取得部Ｆ１２は、目的ワードの選択のための目的選択画面を表示するための情報を、端末装置２０に送信する。目的選択画面は、複数の目的ワードを表示する。一例として、商品が送風機であれば、複数の目的ワードは、「落ち着く」、「安心」、「リラックス」、「リフレッシュ」を含み得る。端末装置２０は、入出力部２１で、目的選択画面を表示する。これによって、ユーザは、入出力部２１を用いて、複数の目的ワードの１以上を選択できる。端末装置２０は、ユーザによる選択の結果を商品開発支援システム１０に送信する。取得部Ｆ１２は、端末装置２０からの入力（ユーザによる選択の結果）に応じて、複数の目的ワードからユーザの入力に対応する１以上の目的ワード（１以上の特定の目的ワード）を取得する。ここで、特定の目的ワードは、複数の目的ワードのうちユーザによって選択されたものである。
【００３４】
決定部Ｆ１３は、１以上の特定の目的ワードに基づいて１以上の特定の感性を決定する。決定部Ｆ１３は、データベースシステム３０のデータベースＤＢ１１を参照して、１以上の特定の目的ワードに基づいて１以上の特定の感性を決定する。本実施形態では、決定部Ｆ１３は、提示処理と、決定処理とを実行する。ここで、目的ワードは、いずれの感性ワードにも関連付けられることなく、物理量Ａ１〜Ａ５の少なくとも一つ（状態Ｉ１〜Ｉ６の少なくとも一つ）に関連付けられている場合がある。つまり、目的ワードは、感性ワードの少なくとも一つに関連付けられている間接目的ワードと、複数の感性ワードのいずれにも関連付けられていない直接目的ワードとに分類され得る。決定部Ｆ１３は、特定の目的ワードが間接目的ワードか直接目的ワードかを判別する。つまり、決定部Ｆ１３は、特定の目的ワードに関連する感性ワードがあるかどうかを判定する。決定部Ｆ１３は、間接目的ワードについては、提示処理を実行する。一方、直接目的ワードについては、直接目的ワードに基づいて１以上の感性を決定する。図２の例では、目的ワードＰ１１〜Ｐ１３は間接目的ワードであり、目的ワードＰ１４は直接目的ワードである。
【００３５】
提示処理は、１以上の特定の目的ワードに基づいて、複数の感性にそれぞれ対応する複数の感性ワードのうちの１以上の感性ワードを提示する処理である。決定部Ｆ１３は、データベースシステム３０のデータベースＤＢ１１を参照して、提示処理を実行する。
【００３６】
提示処理は、複数の感性ワードのうち、１以上の特定の目的ワードに関連付けられた１以上の感性ワードを提示する処理（第１処理）を含む。本実施形態では、感性ワードは階層構造であるから、目的ワードに関連付けられているのは、第２感性ワードＰ２１〜Ｐ２４である。よって、第１処理は、１以上の特定の目的ワードに関連付けられた１以上の第２感性ワードを提示する処理であるといえる。図２の例では、目的ワードＰ１１が特定の目的ワードであれば、目的ワードＰ１１に関連付けられた感性ワードＰ２１，Ｐ２２，Ｐ２４が提示される。また、目的ワードＰ１２が特定の目的ワードであれば、目的ワードＰ１２に関連付けられた感性ワードＰ２２，Ｐ２３，Ｐ２４が提示される。ここで、特定の目的ワードに複数の感性ワードが関連付けられている場合には、第１処理では、複数の感性ワードの一部だけを提示してよい。例えば、第１処理では、複数の感性ワードのうち、特定の目的ワードとの相関の度合いが最も高い感性ワードを提示してよい。又は、第１処理では、複数の感性ワードのうち、特定の目的ワードとの相関の度合いが閾値以上である感性ワードを提示してよい。又は、第１処理では、複数の感性ワードのうち、特定の目的ワードとの相関の度合いが高い順に規定数の感性ワードを提示してよい。更に、複数の特定の目的ワードが取得された場合、第１処理では、複数の特定の目的ワードの少なくとも一つに関連付けられた感性ワードを提示してよい。又は、第１処理では、複数の特定の目的ワードの全てに関連付けられた感性ワードだけを提示してよい。又は、第１処理では、複数の特定の目的ワードのうち規定数以上の特定の目的ワードに関連付けられた感性ワードを提示してよい。又は、第１処理では、感性ワードについて複数の特定の目的ワードとの相関の度合いの代表値（平均値、最大値、最頻値等）を求め、この代表値に基づいて、提示するかどうかを決定してよい。一例として、第１処理では、代表値が所定値以上の感性ワードだけを提示してよい。
【００３７】
一例として、第１処理では、決定部Ｆ１３は、第２感性ワードの選択のための第２感性ワード選択画面を表示するための情報を、端末装置２０に送信する。第２感性ワード選択画面は、１以上の特定の目的ワードに関連付けられた１以上の感性ワードを表示する。これによって、ユーザは、入出力部２１を用いて、第２感性ワード選択画面に表示されている１以上の感性ワードの選択が可能になる。端末装置２０は、ユーザによる選択の結果を商品開発支援システム１０に送信する。決定部Ｆ１３は、端末装置２０からの入力（ユーザによる選択の結果）に応じて、ユーザにより選択された１以上の感性ワードを把握できる。
【００３８】
更に、提示処理は、ユーザにより選択された１以上の感性ワードよりも下の階層に属し、かつその少なくとも一つに関連付けられた１以上の感性ワードを提示する処理（第２処理）を含む。本実施形態では、感性ワードは階層構造であって、第１感性ワードＰ３１〜Ｐ３４が、第２感性ワードＰ２１〜Ｐ２４よりも下層である。よって、第２処理は、ユーザにより選択された１以上の第２感性ワードに関連付けられた１以上の第１感性ワードを提示する処理であるといえる。図２の例では、第２感性ワードＰ２１が選択された場合、第２感性ワードＰ２１に関連付けられた第１感性ワードＰ３１，Ｐ３２が提示される。また、第２感性ワードＰ２４が選択された場合、第２感性ワードＰ２４に関連付けられた第１感性ワードＰ３１，Ｐ３３，Ｐ３４が提示される。ここで、第１感性ワードに複数の第２感性ワードが関連付けられている場合には、第２処理では、複数の第２感性ワードの一部だけを提示してよい。例えば、第２処理では、複数の第２感性ワードのうち、第１感性ワードとの相関の度合いが最も高い第２感性ワードを提示してよい。又は、第２処理では、複数の第２感性ワードのうち、第１感性ワードとの相関の度合いが閾値以上である第２感性ワードを提示してよい。又は、第２処理では、複数の第２感性ワードのうち、第１感性ワードとの相関の度合いが高い順に規定数の第２感性ワードを提示してよい。更に、複数の第１感性ワードが取得された場合、第２処理では、複数の第１感性ワードの少なくとも一つに関連付けられた第２感性ワードを提示してよい。又は、第２処理では、複数の第１感性ワードの全てに関連付けられた第２感性ワードだけを提示してよい。又は、第２処理では、複数の第１感性ワードのうち規定数以上の第１感性ワードに関連付けられた第２感性ワードを提示してよい。又は、第２処理では、第２感性ワードについて複数の第１感性ワードとの相関の度合いの代表値（平均値、最大値、最頻値等）を求め、この代表値に基づいて、提示するかどうかを決定してよい。一例として、第２処理では、代表値が所定値以上の第２感性ワードだけを提示してよい。
【００３９】
一例として、第２処理では、決定部Ｆ１３は、第１感性ワードの選択のための第１感性ワード選択画面を表示するための情報を、端末装置２０に送信する。第１感性ワード選択画面は、１以上の第２感性ワードに関連付けられた１以上の第１感性ワードを表示する。これによって、ユーザは、入出力部２１を用いて、第１感性ワード選択画面に表示されている１以上の第１感性ワードの選択が可能になる。端末装置２０は、ユーザによる選択の結果を商品開発支援システム１０に送信する。決定部Ｆ１３は、端末装置２０からの入力（ユーザによる選択の結果）に応じて、ユーザにより選択された１以上の第１感性ワードを把握できる。
【００４０】
本実施形態では、決定部Ｆ１３は、ユーザにより１以上の第１感性ワードが選択されると、提示処理を終了する。つまり、決定部Ｆ１３は、ユーザにより選択された１以上の感性ワードが最下層に属する場合、提示処理を終了する。一例として、決定部Ｆ１３は、ユーザにより選択された感性ワードの全て又は規定数以上が最下層に属する場合、提示処理を終了してよい。なお、規定数は、１であってもよい。
【００４１】
決定処理は、提示処理に対するユーザの応答に基づいて、１以上の特定の感性を決定する処理である。本実施形態では、決定部Ｆ１３は、ユーザからの応答として、第１処理に対する応答（第１応答）と、第２処理に対する応答（第２応答）を取得し得る。例えば、目的ワードＰ１２が特定の目的ワードであり、第１応答が感性ワードＰ２２の選択であり、第２応答が感性ワードＰ３１の選択である場合、目的ワードＰ１２、感性ワードＰ２２及び感性ワードＰ３１にそれぞれ対応する感性を特定の感性として決定する。
【００４２】
提示部Ｆ１４は、複数の感性のうち１以上の特定の目的ワードに基づいて決定される１以上の特定の感性と刺激を決定する複数の物理量のうちの１以上の特定の物理量との特定の相関関係を含む相関情報を提示する。本実施形態では、１以上の特定の感性は、決定部Ｆ１３によって決定される。よって、提示部Ｆ１４は、決定部Ｆ１３で決定された１以上の特定の感性に基づいて、特定の相関関係を提示する。ここで、提示部Ｆ１４は、複数の感性と複数の物理量との相関関係を示すデータベースＤＢ１１を参照して、特定の相関関係を提示する。また、特定の物理量は、複数の物理量のうち１以上の特定の感性の少なくとも一つとの間に相関がある物理量である。また、特定の物理量は、１以上の特定の感性の少なくとも一つとの間の相関係数が所定値以上である。
【００４３】
表１は、特定の相関関係の一例を示す。表１では、決定部Ｆ１３によって、目的ワードＰ１２、感性ワードＰ２２及び感性ワードＰ３１にそれぞれ対応する感性が特定の感性として決定された場合に対応する。表１では、特定の相関関係は、１以上の特定の感性と１以上の特定の物理量の相関の度合い含んでおり、相関の度合いは、１以上の特定の感性と１以上の特定の物理量との間の相関係数で表されている。
【００４４】
【表１】
2020140569.tif 000003
【００４５】
一例として、提示部Ｆ１４は、特定の相関関係を表示するための結果画面を表示するための情報を、端末装置２０に送信する。これによって、ユーザは、入出力部２１を通して、特定の相関関係を把握することができる。ここで、ユーザは入出力部２１によって、１以上の特定の感性と１以上の特定の物理量との組み合わせから、所望の組み合わせを選択してよい。端末装置２０は、ユーザによる選択の結果を商品開発支援システム１０に送信する。提示部Ｆ１４は、端末装置２０からの入力（ユーザによる選択の結果）に応じて、ユーザにより選択された組み合わせについて、感性の評価値と物理量との間の関係を表す図又は表を表示してよい。つまり、提示部Ｆ１４が提示する相関情報は、１以上の特定の感性の評価値と１以上の特定の物理量との間の関係を表す図又は表を含む。本実施形態では、１以上の特定の感性の評価値と１以上の特定の物理量との間の関係を表す図又は表の提示は、オンデマンド方式で実行される。
【００４６】
１．３  動作
次に、商品開発支援システム１０の動作について図４及び図５を参照して説明する。
【００４７】
まず、商品開発支援システム１０は、刺激の特定を行う（Ｓ１１）。ここでは、選択部Ｆ１１が、刺激選択画面を端末装置２０の入出力部２１に表示させる。これによって、ユーザは、入出力部２１を用いて、刺激選択画面に表示されている複数の候補から刺激を選択できる。選択部Ｆ１１は、端末装置２０からの入力（ユーザによる選択の結果）に応じて、複数の候補から刺激を選択する。
【００４８】
次に、商品開発支援システム１０は、特定の目的ワードの取得を行う（Ｓ１２）。ここでは、取得部Ｆ１２が、目的選択画面を端末装置２０の入出力部２１に表示させる。これによって、ユーザは、入出力部２１を用いて、複数の目的ワードの１以上を選択できる。取得部Ｆ１２は、端末装置２０からの入力（ユーザによる選択の結果）に応じて、ユーザによって選択された１以上の目的ワードを、１以上の特定の目的ワードとして取得する。
【００４９】
次に、商品開発支援システム１０は、特定の感性の決定を行う（Ｓ１３）。以下、図５を参照して、ステップＳ１３について説明する。
【００５０】
まず、決定部Ｆ１３は、特定の目的ワードに関連する感性ワードがあるかどうかを判定する（Ｓ２１）。特定の目的ワードに関連する感性ワードがなければ（Ｓ２１：Ｎｏ）、特定の目的ワードは直接目的ワードであるから、決定部Ｆ１３は、直接目的ワードに基づいて１以上の特定の感性を決定する（Ｓ３０）。これによって、ステップＳ１３は終了する。
【００５１】
特定の目的ワードに関連する感性ワードがあれば、特定の目的ワードは間接目的ワードであるから（Ｓ２１：Ｙｅｓ）、決定部Ｆ１３は、提示処理（第１処理）を実行する（Ｓ２２）。ここでは、決定部Ｆ１３は、第２感性ワード選択画面を端末装置２０の入出力部２１に表示させ、ユーザの選択を待つ（Ｓ２３）。
【００５２】
決定部Ｆ１３は、端末装置２０からの入力（ユーザによる選択の結果）を受け取ると（Ｓ２３：Ｙｅｓ）、関連する下層の感性ワードがあるかどうかを判定する（Ｓ２４）。つまり、決定部Ｆ１３は、ユーザにより選択された１以上の感性ワードよりも下の階層に属し、かつその少なくとも一つに関連付けられた１以上の感性ワードがあるかどうかを判定する。
【００５３】
ここで、関連する下層の感性ワードがあれば（Ｓ２４：Ｙｅｓ）、決定部Ｆ１３は、ユーザにより選択された１以上の感性ワードよりも下の階層に属し、かつその少なくとも一つに関連付けられた１以上の感性ワードを提示する（Ｓ２５）。ここで、決定部Ｆ１３は、第１感性ワード選択画面を端末装置２０の入出力部２１に表示させ、ユーザの選択を待つ（Ｓ２６）。
【００５４】
決定部Ｆ１３は、端末装置２０からの入力（ユーザによる選択の結果）を受け取ると（Ｓ２６：Ｙｅｓ）、ステップＳ２４に戻る。ステップＳ２４において、関連する下層の感性ワードがなければ（Ｓ２４：Ｎｏ）、決定部Ｆ１３は、決定処理を実行して、１以上の特定の感性を決定する（Ｓ４０）。これによって、ステップＳ１３は終了する。
【００５５】
ステップＳ１３が終了すると、商品開発支援システム１０は、相関情報の提示を行う（図４のＳ１４）。ここでは、提示部Ｆ１４が、特定の相関関係を表示するための結果画面を表示するための情報を、端末装置２０に送信する。これによって、ユーザは、入出力部２１を通して、特定の相関関係を把握することができる。更に、提示部Ｆ１４は、端末装置２０からの入力（ユーザによる選択の結果）に応じて、ユーザにより選択された感性と物理量との組み合わせについて、感性の評価値と物理量との間の関係を表す図又は表を表示する。
【００５６】
１．４  まとめ
以上述べた商品開発支援システム１０は、取得部Ｆ１２と、提示部Ｆ１４とを備える。取得部Ｆ１２は、商品により人体に与える刺激に関する複数の目的ワードＰ１１〜Ｐ１４（図２参照）からユーザの入力に対応する１以上の特定の目的ワードを取得する。提示部Ｆ１４は、複数の感性のうち１以上の特定の目的ワードに基づいて決定される１以上の特定の感性と刺激を決定する複数の物理量Ａ１〜Ａ５のうちの１以上の特定の物理量との特定の相関関係を含む相関情報を提示する。このように、商品開発支援システム１０によれば、商品の目的に合致した刺激を実現するための情報を提供でき得る。
【００５７】
換言すれば、商品開発支援システム１０は、下記の方法（商品開発支援方法）を実行しているといえる。商品開発支援方法は、取得ステップと、提示ステップとを含む。取得ステップは、商品により人体に与える刺激に関する複数の目的ワードＰ１１〜Ｐ１４（図２参照）からユーザの入力に対応する１以上の特定の目的ワードを取得するステップである。提示ステップは、複数の感性のうち１以上の特定の目的ワードに基づいて決定される１以上の特定の感性と刺激を決定する複数の物理量Ａ１〜Ａ５のうちの１以上の特定の物理量との特定の相関関係を含む相関情報を提示するステップである。このように、商品開発支援方法によれば、商品開発支援システム１０と同様に、商品の目的に合致した刺激を実現するための情報を提供でき得る。
【００５８】
商品開発支援システム１０は、コンピュータシステム（１以上のプロセッサ）により実現されている。つまり、商品開発支援システム１０は、１以上のプロセッサがプログラム（コンピュータプログラム）を実行することにより実現される。このプログラムは、１以上のプロセッサに商品開発支援方法を実行させるためのプログラムである。このようなプログラムによれば、商品開発支援方法と同様に、商品の目的に合致した刺激を実現するための情報を提供でき得る。
【００５９】
２．変形例
本開示の実施形態は、上記実施形態に限定されない。上記実施形態は、本開示の目的を達成できれば、設計等に応じて種々の変更が可能である。以下に、上記実施形態の変形例を列挙する。
【００６０】
一変形例では、選択部Ｆ１１は、商品の選択が可能であってよい。つまり、選択部Ｆ１１は、商品を複数の候補から選択するように構成され得る。一例として、選択部Ｆ１１は、商品の選択のための商品選択画面を表示するための情報を、端末装置２０に送信する。商品選択画面は、商品の複数の候補を表示する。一例として、商品の候補は、送風機、空気調和器、空気清浄機、照明装置、調味料、香水、住宅建材、住宅設備機器、音響装置等を含んでよい。端末装置２０は、入出力部２１で、商品選択画面を表示する。これによって、ユーザは、入出力部２１を用いて、商品選択画面に表示されている複数の候補から商品を選択できる。端末装置２０は、ユーザによる選択の結果を商品開発支援システム１０に送信する。選択部Ｆ１１は、端末装置２０からの入力（ユーザによる選択の結果）に応じて、複数の候補から商品を選択する。
【００６１】
一変形例では、取得部Ｆ１２は、ユーザの入力した文字列（ワード又はフレーズ）に基づいて、複数の目的ワードからユーザの入力に対応する１以上の特定の目的ワードを取得してよい。つまり、取得部Ｆ１２は、ユーザの入力した文字列の解釈をし、解釈の結果に基づいて、１以上の特定の目的ワードを取得してよい。また、取得部Ｆ１２は、文字列と目的ワードとの関係を学習した学習済みモデルを利用して、ユーザの入力した文字列から１以上の特定の目的ワードを取得してよい。
【００６２】
一変形例では、決定部Ｆ１３の提示処理では、特定の目的ワードに関連付けられた感性ワードの全てを提示する必要はない。一例として、特定の目的ワードに関連付けられた感性ワードのうち相関の度合いが比較的高いものだけを提示してよい。
【００６３】
一変形例では、データベースＤＢ１１の示す相関関係は、図２とは異なっていてよい。例えば、目的ワードＰ１１〜Ｐ１４は、直接目的ワードを含んでいなくてよい。また、感性ワードＰ２１〜Ｐ２４、Ｐ３１〜Ｐ３４は、二層構造ではなく、三層以上の多層構造であってよいし、単層構造であってもよい。また、状態Ｉ１〜Ｉ６は必須ではなく、感性ワードＰ２１〜Ｐ２４、Ｐ３１〜Ｐ３４が直接的に物理量Ａ１〜Ａ５に関連付けられていてよい。また、データベースＤＢ１１において、相関の度合いが所定値以下の場合には、相関がないとみなしてもよい。
【００６４】
一変形例では、データベースＤＢ１１には、新たな刺激に関する相関関係を追加することもできる。更に、既存の相関関係も、新たな実験結果に基づいて、ワード間の関係や、ワードと物理量との関係を適宜変更、修正、並びに追加してよく、これによって、既存の相関関係の拡張が可能である。
【００６５】
一変形例では、商品開発支援システム１０は、データベースＤＢ１１を備えていてよい。換言すれば、商品開発支援システム１０は、データベースシステム３０を含むことができる。一変形例では、商品開発支援システム１０は、入出力２１を備えていてよい。換言すれば、商品開発支援システム１０は、端末装置２０を利用せずに、情報の提示を行ってよい。
【００６６】
一変形例では、商品開発支援システム１０は、複数のコンピュータにより構成されていてもよい。例えば、商品開発支援システム１０の機能（特に、選択部Ｆ１１、取得部Ｆ１２、決定部Ｆ１３、提示部Ｆ１４）は、複数の装置に分散されていてもよい。更に、商品開発支援システム１０の機能の少なくとも一部が、例えば、クラウド（クラウドコンピューティング）によって実現されていてもよい。
【００６７】
以上述べた商品開発支援システム１０の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における商品開発支援システム１０の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。ＬＳＩの製造後にプログラムされる、フィールド・プログラマブル・ゲート・アレイ（ＦＧＰＡ）、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、又はＬＳＩ内部の接合関係の再構成又はＬＳＩ内部の回路区画のセットアップができる再構成可能な論理デバイスも同じ目的で使うことができる。複数の電子回路は、１つのチップに集約されていてもよいし、複数のチップに分散して設けられていてもよい。複数のチップは、１つの装置に集約されていてもよいし、複数の装置に分散して設けられていてもよい。
【００６８】
３．態様
上記実施形態及び変形例から明らかなように、本開示は、下記の態様を含む。以下では、実施形態との対応関係を明示するためだけに、符号を括弧付きで付している。
【００６９】
第１の態様は、商品開発支援システム（１０）であって、取得部（Ｆ１２）と、提示部（Ｆ１４）とを備える。前記取得部（Ｆ１２）は、商品により人体に与える刺激に関する複数の目的ワード（Ｐ１１〜Ｐ１４）からユーザの入力に対応する１以上の特定の目的ワード（Ｐ１１〜Ｐ１４）を取得する。前記提示部（Ｆ１４）は、１以上の特定の感性と１以上の特定の物理量（Ａ１〜Ａ５）との特定の相関関係を含む相関情報を提示する。前記１以上の特定の感性は、複数の感性のうち前記１以上の特定の目的ワード（Ｐ１１〜Ｐ１４）に基づいて決定される。前記１以上の特定の物理量（Ａ１〜Ａ５）は、前記刺激を決定する複数の物理量（Ａ１〜Ａ５）のうちの１以上の物理量である。この態様によれば、商品の目的に合致した刺激を実現するための情報を提供できる。
【００７０】
第２の態様は、第１の態様の商品開発支援システム（１０）に基づく。第２の態様おいて、前記相関関係は、前記１以上の特定の感性と前記１以上の特定の物理量（Ａ１〜Ａ５）の相関の度合いを含む。この態様によれば、商品の目的に合致した刺激を実現するための情報を提供できる。
【００７１】
第３の態様は、第２の態様の商品開発支援システム（１０）に基づく。第３の態様において、前記相関の度合いは、前記１以上の特定の感性と前記１以上の特定の物理量（Ａ１〜Ａ５）との間の相関係数で表される。この態様によれば、商品の目的に合致した刺激を実現するための情報を提供できる。
【００７２】
第４の態様は、第３の態様の商品開発支援システム（１０）に基づく。第４の態様において、前記１以上の特定の物理量（Ａ１〜Ａ５）は、前記１以上の特定の感性の少なくとも一つとの間の相関係数が所定値以上である。この態様によれば、商品の目的に合致した刺激を実現するための情報を提供できる。
【００７３】
第５の態様は、第１〜第４の態様のいずれか一つの商品開発支援システム（１０）に基づく。第５の態様において、前記相関情報は、前記１以上の特定の感性の評価値と前記１以上の特定の物理量（Ａ１〜Ａ５）との間の関係を表す図又は表を含む。この態様によれば、商品の目的に合致した刺激を実現するための情報を提供できる。
【００７４】
第６の態様は、第１〜第５の態様のいずれか一つの商品開発支援システム（１０）に基づく。第６の態様において、前記提示部（Ｆ１４）は、前記複数の感性と前記複数の物理量（Ａ１〜Ａ５）との相関関係を示すデータベース（ＤＢ１１）を参照して、前記特定の相関関係を提示する。この態様によれば、商品の目的に合致した刺激を実現するための情報を提供できる。
【００７５】
第７の態様は、第１〜第６の態様のいずれか一つの商品開発支援システム（１０）に基づく。第７の態様において、前記商品開発支援システム（１０）は、前記１以上の特定の目的ワード（Ｐ１１〜Ｐ１４）に基づいて前記１以上の特定の感性を決定する決定部（Ｆ１３）を更に備える。前記提示部（Ｆ１４）は、前記決定部（Ｆ１３）で決定された前記１以上の特定の感性に基づいて、前記特定の相関関係を提示する。この態様によれば、商品の目的に合致した刺激を実現するための情報を提供できる。
【００７６】
第８の態様は、第７の態様の商品開発支援システム（１０）に基づく。第８の態様において、前記決定部（Ｆ１３）は、提示処理と、決定処理とを実行する。前記提示処理は、前記１以上の特定の目的ワード（Ｐ１１〜Ｐ１４）に基づいて、前記複数の感性にそれぞれ対応する複数の感性ワード（Ｐ２１〜Ｐ２４、Ｐ３１〜Ｐ３４）のうちの１以上の感性ワード（Ｐ２１〜Ｐ２４、Ｐ３１〜Ｐ３４）を提示する処理である。前記決定処理は、前記提示処理に対するユーザの応答に基づいて、前記１以上の特定の感性を決定する処理である。この態様によれば、感性の決定をインタラクティブな手法で実行できる。
【００７７】
第９の態様は、第８の態様の商品開発支援システム（１０）に基づく。第９の態様において、前記提示処理は、前記複数の感性ワード（Ｐ２１〜Ｐ２４、Ｐ３１〜Ｐ３４）のうち、前記１以上の特定の目的ワード（Ｐ１１〜Ｐ１４）に関連付けられた１以上の感性ワード（Ｐ２１〜Ｐ２４、Ｐ３１〜Ｐ３４）を提示する処理を含む。この態様によれば、感性の決定をインタラクティブな手法で実行できる。
【００７８】
第１０の態様は、第８又は第９の態様の商品開発支援システム（１０）に基づく。第１０の態様において、前記複数の感性ワード（Ｐ２１〜Ｐ２４、Ｐ３１〜Ｐ３４）は、複数の階層に分類される。前記提示処理は、前記ユーザにより選択された１以上の感性ワード（Ｐ２１〜Ｐ２４）よりも下の階層に属し、かつその少なくとも一つに関連付けられた１以上の感性ワード（Ｐ３１〜Ｐ３４）を提示する処理を含む。この態様によれば、相関情報の精度を向上できる。
【００７９】
第１１の態様は、第８〜第１０の態様のいずれか一つの態様の商品開発支援システム（１０）に基づく。第１１の態様において、前記複数の目的ワード（Ｐ１１〜Ｐ１４）の各々は、間接目的ワード（Ｐ１１〜Ｐ１３）と、直接目的ワード（Ｐ１４）とに分類される。前記間接目的ワード（Ｐ１１〜Ｐ１３）は、前記複数の感性ワード（Ｐ２１〜Ｐ２４、Ｐ３１〜Ｐ３４）の少なくとも一つに関連付けられている目的ワードである。前記直接目的ワード（Ｐ１４）は、前記複数の感性ワード（Ｐ２１〜Ｐ２４、Ｐ３１〜Ｐ３４）のいずれにも関連付けられていない目的ワードである。前記決定部（Ｆ１３）は、前記間接目的ワード（Ｐ１１〜Ｐ１３）については、前記提示処理を行う。前記決定部（Ｆ１３）は、前記直接目的ワード（Ｐ１４）については、前記直接目的ワード（Ｐ１４）に基づいて前記１以上の感性を決定する。この態様によれば、決定部（Ｆ１３）での処理にかかる負荷を低減できる。
【００８０】
第１２の態様は、第８〜第１１の態様のいずれか一つの態様の商品開発支援システム（１０）に基づく。第１２の態様において、前記決定部（Ｆ１３）は、前記複数の目的ワード（Ｐ１１〜Ｐ１４）と前記複数の感性ワード（Ｐ２１〜Ｐ２４、Ｐ３１〜Ｐ３４）とを含む複数のワードの階層構造を示すデータベース（ＤＢ１１）を参照して、前記提示処理を実行する。この態様によれば、相関情報の精度を向上できる。
【００８１】
第１３の態様は、第１〜第１２の態様のいずれか一つの商品開発支援システム（１０）に基づく。第１３の態様において、前記商品開発支援システム（１０）は、前記刺激を複数の候補から選択する選択部（Ｆ１１）を更に備える。前記提示部（Ｆ１４）は、前記選択部（Ｆ１１）で選択された前記刺激に基づいて、前記相関情報を提示する。この態様によれば、所望の刺激について相関情報を提示できる。
【００８２】
第１４の態様は、商品開発支援方法であって、取得ステップと、提示ステップとを含む。前記取得ステップは、商品により人体に与える刺激に関する複数の目的ワード（Ｐ１１〜Ｐ１４）からユーザの入力に対応する１以上の特定の目的ワード（Ｐ１１〜Ｐ１４）を取得するステップである。前記提示ステップは、１以上の特定の感性と１以上の特定の物理量（Ａ１〜Ａ５）との特定の相関関係を含む相関情報を提示するステップである。前記１以上の特定の感性は、複数の感性のうち前記１以上の特定の目的ワード（Ｐ１１〜Ｐ１４）に基づいて決定される。前記１以上の特定の物理量（Ａ１〜Ａ５）は、前記刺激を決定する複数の物理量（Ａ１〜Ａ５）のうちの１以上の物理量である。この態様によれば、商品の目的に合致した刺激を実現するための情報を提供できる。なお、第２〜第１３の態様の特徴は、適宜、第１４の態様に適用可能である。
【００８３】
第１５の態様は、プログラムであって、第１４の態様の商品開発支援方法を、１以上のプロセッサに実行させるための、プログラムである。この態様によれば、商品の目的に合致した刺激を実現するための情報を提供できる。
【符号の説明】
【００８４】
１０  商品開発支援システム
Ｆ１１  選択部
Ｆ１２  取得部
Ｆ１３  決定部
Ｆ１４  提示部
ＤＢ１１  データベース
Ｐ１１〜Ｐ１３  目的ワード（間接目的ワード）
Ｐ１４  目的ワード（直接目的ワード）
Ｐ２１〜Ｐ２４、Ｐ３１〜Ｐ３４  感性ワード
Ａ１〜Ａ５  物理量
【図１】
2020140569.tif 000004
【図２】
2020140569.tif 000005
【図３】
2020140569.tif 000006
【図４】
2020140569.tif 000007
【図５】
2020140569.tif 000008